(57)【要約】【課題】  パターヘッドの重量配分を、ヘッドのトウ・ヒール方向の線的な変更だけでなく、ヘッドのトウ・ヒール方向とは垂直な方向への変更をも加えて、二次元（面）的に重量配分を変更できるパターヘッドを提供する。【解決手段】  ヘッド本体部２と、一端に重量体部３１ａ、３１ｂを有し、重量体部３１ａ、３１ｂから伸びる脚部３２ａ、３２ｂを有する重心位置変更部材３ａ、３ｂとから構成されるパターヘッド１であって、重心位置変更部材３ａ、３ｂの脚部３２ａ、３２ｂは、ヘッド本体部２に着脱自在とする。【選択図】図１
2008036315.tif 000002
【特許請求の範囲】
【請求項１】
ヘッド本体部と、
一端に重量体部を有し、前記重量体部から伸びる脚部を有する重心位置変更部材とから構成されるパターヘッドであって、
前記重心位置変更部材の脚部は、前記ヘッド本体部に着脱自在としたゴルフ用パターヘッド。
【請求項２】
ヘッド本体部と、複数個の重心位置変更部材とから構成される請求項１記載のゴルフ用パターヘッド。
【請求項３】
前記重心位置変更部材の脚部はＬ字形状である請求項１又は２記載のゴルフ用パターヘッド。
【請求項４】
前記重心位置変更部材が２個の場合において、前記重心位置変更部材のＬ字形状脚部が各々左右対称方向に折り曲げられている請求項３記載のゴルフ用パターヘッド。
【請求項５】
前記ヘッド本体部のフェース面とは反対側に段差部を設け、前記重心位置変更部材の脚部を前記ヘッド本体部の段差部に着脱可能とした請求項１乃至４のいずれか１項に記載のゴルフ用パターヘッド。
【請求項６】
前記ヘッド本体部には１又は複数のビス孔を設け、前記重心位置変更部材の脚部にも前記ヘッド本体部のビス孔に対応する位置にビス孔を設けて、前記重心位置変更部材を前記ヘッド本体部にビスで着脱自在とした請求項１乃至５のいずれか１項に記載のゴルフ用パターヘッド。
【発明の詳細な説明】
【技術分野】
【０００１】
本発明は、ゴルフ用パターヘッドに関し、特に、ヘッドの重心位置を使用者の好みに応じて任意に変更できるパターヘッドに関する。
【背景技術】
【０００２】
従来から、ゴルフ用パターヘッドの重心位置を変更することのできる発明は多数なされている。
例えば、特開昭６３−６８１８６号には、「トウ及びヒール方向に延びる薄板状のフェイス板の略中央背後にフェイス板と直角に後方に延びる棒状のボディを設け、該ボディにトウ及びヒール方向に延びるロッドを設け、該ロッド上に重量体を取り付けてなるパタークラブのヘッド」が開示されている。
本発明によれば、ロッド上の重量体を動かすことでパターヘッドの重量配分を変更することができる。しかし、重量を変更できる方向は、フェイス板に平行な方向に限られるものである。
【０００３】
また、特許第２７６０７２３号には「本体部は、細長いフェース面を有し、そのフェース面の裏側に凹部を形成し、且つその凹部の内面にフェース面の略長手方向に沿って溝状又は突条のレールを形設したヘッドと、このヘッドのレールの所望位置に固定され、固定解除操作されると前記レールに沿って移動でき、固定操作により異なる位置に再固定可能な重心変更用重量子とからな」るパターヘッドが開示されている。
この発明のパターヘッドにおいても、重量子を移動することで変更できるのは、ヘッドのトウ・ヒール方向の重量バランスであるに過ぎない。
【０００４】
【特許文献１】特開昭６３−６８１８６号
【特許文献２】特許第２７６０７２３号
【発明の開示】
【発明が解決しようとする課題】
【０００５】
そこで、本発明は、パターヘッドの重量配分を、ヘッドのトウ・ヒール方向の線的な変更だけでなく、ヘッドのトウ・ヒール方向とは垂直な方向への変更をも加えて、二次元（面）的に重量配分を変更できるパターヘッドを提供しようとするものである。すなわち、トウ・ヒール方向の慣性モーメントだけでなく、重心深度をも変更できるパターヘッドを提供しようとするものである。
【課題を解決するための手段】
【０００６】
請求項１の発明は、ヘッド本体部と、一端に重量体部を有し、前記重量体部から伸びる脚部を有する重心位置変更部材とから構成されるパターヘッドであって、前記重心位置変更部材の脚部は、前記ヘッド本体部に着脱自在としたゴルフ用パターヘッドである。
【０００７】
重心位置変更部材の脚部を、ヘッド本体部のどの位置に取り付けるかよって、ヘッド本体部のトウ・ヒール方向の重量配分を変えることができる。また、重心位置変更部材の脚部を、ヘッド本体部と垂直な方向ではなく、（０度から９０度までの範囲の任意の）角度を有するように取り付ければ、ヘッド本体部とは垂直な方向への重量配分も変更することができる。
従って、これらを組み合わせることで、言い換えれば、ヘッド本体部への重心位置変更部材の脚部の取り付け位置、取り付け角度を調整することによって、重量配分をヘッド本体部のトウ・ヒール方向かつ垂直な方向に二次元的に調整することが可能となる。
【０００８】
請求項２の発明は、ヘッド本体部と、複数個の重心位置変更部材とから構成される請求項１記載のゴルフ用パターヘッドである。
重心位置変更部材を複数個とすれば、それぞれの重心位置変更部材の脚部のヘッド本体部への取り付け位置、取り付け角度を様々に組み合わせることによって、さらに、重量配分をヘッド本体部のトウ・ヒール方向かつ垂直な方向に、二次元的に多様に変更することが可能となる。
【０００９】
請求項３の発明は、前記重心位置変更部材の脚部はＬ字形状である請求項１又は２記載のゴルフ用パターヘッドである。
脚部をＬ字形状とすると、脚部をヘッド本体部へ取り付けた際に、取り付け時の安定性が向上するものである。
【００１０】
請求項４の発明は、前記重心位置変更部材が２個の場合において、前記重心位置変更部材のＬ字形状脚部が各々左右対称方向に折り曲げられている請求項３記載のゴルフ用パターヘッドである。
この場合には、重心位置変更部材をヘッド本体部のトウ・ヒール方向に左右対称形状に配置することができるので、パターを構えたときに視覚的に安定感が出て、パターがしやすくなるものである。また、ヘッド本体部のトウ・ヒール方向の略中心に重心位置を配置できるという特徴も有する。
【００１１】
請求項５の発明は、前記ヘッド本体部のフェース面とは反対側に段差部を設け、前記重心位置変更部材の脚部を前記ヘッド本体部の段差部に着脱可能とした請求項１乃至４のいずれか１項に記載のゴルフ用パターヘッドである。
ヘッド本体部のフェース面とは反対側に段差部を設けておくと、重心位置変更部材の脚部のヘッド本体部への着脱の際の位置決めがしやすくなるものである。
【００１２】
請求項６の発明は、前記ヘッド本体部には１又は複数のビス孔を設け、前記重心位置変更部材の脚部にも前記ヘッド本体部のビス孔に対応する位置にビス孔を設けて、前記重心位置変更部材を前記ヘッド本体部にビスで着脱自在とした請求項１乃至５のいずれか１項に記載のゴルフ用パターヘッドである。
ヘッド本体部と重心位置変更部材の脚部とにビス孔を設けておくと、重心位置変更部材のヘッド本体部への取り付けが確実になるものである。
また、それぞれのビス孔を等間隔に設けておけば、重心位置変更部材をずらしてヘッド本体部に着脱することが可能となり、重量配分の調整が容易となる。
【発明の効果】
【００１３】
以上のように、本発明によれば、パターヘッドの重量配分をヘッド本体部のトウ・ヒール方向かつ垂直な方向に二次元的に調整することが可能となるので、従来よりも使用者のニーズに応じた重量配分の調整をすることができる。
さらに、重量の調整が、ヘッド本体部への重心位置変更部材の脚部の取り付け方を変更するというきわめて簡単な方法によって行うことができるものである。
【発明を実施するための最良の形態】
【００１４】
以下、本発明の実施例を添付図面に基づいて説明する。
図１は、本発明のゴルフ用パターヘッドの一実施例を示す斜視図であり、図２は同平面図である。図３は、図１のゴルフ用パターヘッドにおけるヘッド本体部のみを示す斜視図、図４は同重心位置変更部材のみを示す斜視図である。
【００１５】
図１に示すゴルフ用パターヘッド１は、ヘッド本体部２と重心位置変更部材３とから構成されている。
ヘッド本体部２は、図３に示すように、フェース面２１およびシャフトが挿入されるシャフト挿入孔２２を有している。さらに、本実施例においては、フェース面２１とは反対側（バックフェース部）に段差部２３を設けている。さらに、バックフェース部には、フェース面とは垂直な方向に伸びる延長部２４を設けている。段差部２３及び延長部２４にはビス孔２５を複数個設けている。
【００１６】
重心位置変更部材３は、図４に示すように、重量体部３１と、重量体部３１から伸びる脚部３２とを有している。脚部３２はＬ字形状をしており、重量体部３１と脚部３２との結合を確実にするために補助杆３４でも結合している。さらに、脚部３２にはビス孔３５を複数個設けている。
【００１７】
重心位置変更部材３のビス孔３５と、前記したヘッド本体部２のビス孔２５とは同じ間隔で設けており、ヘッド本体部２の段差部２３に重心位置変更部材３の脚部３２を重ねると、両者のビス孔は一致するようになっている。
具体的には、重心位置変更部材３のビス孔、３５１と３５２との間、３５２と３５３との間、ヘッド本体部２の段差部２３における２５１と２５２との間、２５２と２５３との間、２５３と２５４との間の距離はそれぞれ同じということである。（なお、これ以外にも同じ距離のところが存在するが、それは以降の説明から自明であるので省略する。）
他面、ルール違反となる組み合わせができないように、ビス孔をわざと空けなかったり、ビス孔の間隔をわざと異ならせておいたりするような設計も可能である。
【００１８】
図１の実施例では、重心位置変更部材３を、重心位置変更部材３ａと重心位置変更部材３ｂの２個を使用している。重心位置変更部材３ａと重心位置変更部材３ｂとの差異は、Ｌ字形状に折り曲げられた脚部３２ａと３２ｂとが、各々左右対称方向に折り曲げられている点にある。
なお、本実施例では、重心位置変更部材３ａ、３ｂのビス孔３５から、ヘッド本体部２の段差部２３のビス孔２５にビスを差し込むことによって、両者を固定している。
【００１９】
図１及び図２の実施例は、重心位置変更部材３ａ、３ｂの重量体部３１ａ、３１ｂを、ヘッド本体部２のトウ・ヒール方向Ａからみれば中心位置で、かつ、ヘッド本体部２のトウ・ヒール方向とは垂直な方向Ｂからみれば最も遠い位置に配置した例を示している。このような配置にすれば、パターヘッドのトウ・ヒール方向の慣性モーメントは大きくなり、重心深度は深くなる。
これはストロークタイプのゴルファー向けで、あえて少しスイートスポットを外すような打ち方も可能となる。
【００２０】
図５及び図６は、重心位置変更部材３ａ、３ｂの他の組み合わせ事例を示す平面図である。
図５では、重心位置変更部材３ａ、３ｂの重量体部３１ａ、３１ｂを、ヘッド本体部２のトウ・ヒール方向Ａからみれば最もトウ・ヒール寄りで、かつ、ヘッド本体部２のトウ・ヒール方向とは垂直な方向Ｂからみれば最もヘッド本体部２に近い位置に配置した例を示している。このような配置にすれば、パターヘッドのトウ・ヒール方向の慣性モーメントは図１及び図２の実施例よりも小さくなり、重心深度は浅くなる。
これは、オーソドックスな重心設定となり、万人向けのパターとなる。
【００２１】
図６では、重心位置変更部材３ａ、３ｂの重量体部３１ａ、３１ｂを、ヘッド本体部２のトウ・ヒール方向Ａからみれば最もトウ・ヒール寄りで、かつ、ヘッド本体部２のトウ・ヒール方向とは垂直な方向Ｂからみればヘッド本体部２から最も遠い位置に配置した例を示している。このような配置にすれば、パターヘッドのトウ・ヒール方向の慣性モーメントは図１及び図２の実施例よりも大きくなり、重心深度は深くなる。
これは、パターが苦手、特にショートパットが苦手なゴルファーに向いている。
以上のように、本発明によれば、重量配分をヘッド本体部２のトウ・ヒール方向Ａかつ垂直な方向Ｂに二次元的に調整することが可能となるので、従来よりも使用者のニーズに応じた重量配分の調整をすることができるものである。
【００２２】
ヘッド本体部２の延長部２４を設けるかどうかは任意である。
図６に示すような重心位置変更部材３ａ、３ｂの配置をとった場合、延長部２４があるとパッティング方向を示す目印となるので、パターがしやすくなる。
さらに、図１、図２及び図５に示すような重心位置変更部材３ａ、３ｂの配置をとった場合には、Ｌ字形状の脚部３２ａ、３２ｂの固定を、ヘッド本体部２の段差部２３だけでなく、延長部２４でも行うことができるので、重心位置変更部材３ａ、３ｂのヘッド本体部２への固定が確実になるという特徴も有する。
【００２３】
図１、図２、図５及び図６では、重心位置変更部材３ａ、３ｂをヘッド本体部２のトウ・ヒール方向Ａの中心位置から左右対称形状に配置することができるので、本ゴルフ用パターヘッド１を構えたときに視覚的に安定感が出る。従って、パターがしやすくなるという特徴も有する。
また、ヘッド本体部のトウ・ヒール方向の略中心に重心位置を配置できるという特徴も有する。
しかし、本発明は、前記した実施例に限られるものではないから、重心位置変更部材３を１個だけ用いて、その取り付け方をさまざまに変化させることも可能である。
【００２４】
図７に示すように、脚部３２が単なる直線状である（Ｌ字形状をしていない）重心位置変更部材３を使用することも可能である。
本形状の重心位置変更部材３を、ヘッド本体部２にビス孔３５とビスを介して取り付ける際には、脚部３５をヘッド本体部２に対して０度から９０度までの任意の角度で取り付けることができる。
従って、取り付ける位置と、取り付け角度を調整することで、重量配分をヘッド本体部２のトウ・ヒール方向Ａかつ垂直な方向Ｂに二次元的に調整することが可能となる。
本形状の重心位置変更部材３を複数個用いれば、さらに複雑な重量配分の調整も可能となる。
【００２５】
さらに、図８に示すような重心位置変更部材３を使用することも可能である。図８の重心位置変更部材３では、図４の実施例とは異なり、ビス孔３５を水平面と垂直な方向ではなく、水平面と平行な方向に設けている。
従って、（図示はしないが）パターヘッド本体２の水平面に垂直なバックフェース面や、段差部２３の水平面とは垂直な面の方に、脚部３２のビス孔３５に対応するビス孔２５を設けておくことで、重心位置変更部材３の着脱が自在となる。
【００２６】
重心位置変更部材３のヘッド本体部２への取り付け方は、ビスを用いるほか、リベットを用いたり、両面テープを用いたり、接着剤を用いることもできる。
また、ヘッド本体部２に段差部２３を設けておくと、重心位置変更部材３の脚部３２を着脱する際に位置決めがやりやすくなるが、段差部２３を設けなくとも本発明を実施できることはもちろんである。
【００２７】
重心位置変更部材３の重量体部３１は、脚部３２と同一の素材でもよいが、より好ましくは、脚部３２よりも比重の大きい素材を用いる。
両者を一体に作る場合は、ステンレス、クロムモリブデン鋼、Ｓ２５Ｃなどの鉄系材料を使用するのがよく、また、重量体部３１を、タングステン、真鍮、鉛のような比重の大きい素材で作って、これを既知の方法で嵌合、溶接、接着等して構成してもよい。
【００２８】
また、ヘッド本体２を、重心位置変更部材３よりも比重の小さいアルミニウム合金やマグネシウム合金で作れば、重心位置変更部材３を変更することによる重心位置の変動は一層大きくなる。すなわち、重心位置変更部材３を少し移動させるだけで、トウ・ヒール方向の慣性モーメントや重心深度の変化を大きく変えることができるという効果も奏する。
【図面の簡単な説明】
【００２９】
【図１】本発明ゴルフ用パターヘッドの一実施例の斜視図である。
【図２】図１の平面図である。
【図３】図１のゴルフ用パターヘッドにおけるヘッド本体部のみを示す斜視図である。
【図４】図１のゴルフ用パターヘッドにおける重心位置変更部材のみを示す斜視図である。
【図５】他の実施例を示す平面図である。
【図６】他の実施例を示す平面図である。
【図７】他の重心位置変更部材を示す斜視図である。
【図８】さらに別の重心位置変更部材を示す斜視図である。
【符号の説明】
【００３０】
１    ゴルフ用パターヘッド
２    ヘッド本体部
２１  フェース面
２２  シャフト挿入孔
２３  段差部
２４  延長部
２５  ビス孔
２５１、２５２、２５３、２５４  ビス孔
３、３ａ、３ｂ    重心位置変更部材
３１、３１ａ、３１ｂ  重量体部
３２、３２ａ、３２ｂ  脚部
３４  補助杆
３５  ビス孔
３５１、３５２、３５３  ビス孔
【図１】
2008036315.tif 000003
【図２】
2008036315.tif 000004
【図３】
2008036315.tif 000005
【図４】
2008036315.tif 000006
【図５】
2008036315.tif 000007
【図６】
2008036315.tif 000008
【図７】
2008036315.tif 000009
【図８】
2008036315.tif 000010